(57)【要約】【課題】  顔出し窓から防護服内への放射性物質等の侵入を抑制することができる開閉部を備えた防護服を提供すること。【解決手段】  着用者の胸，腹及び腰を収容する胴筒２と腕を収容する腕筒３と脚を収容する脚筒４と頭を収容する顔出し窓を有するフード５とを一体に形成して服本体とし、この服本体にファスナ８の開閉により着脱を行う開閉部７を設けた防護服１において、開閉部７は、一方の腕筒３から胴筒２の一方の脇部位及び腰部位を通って一方の脚筒４に至る第１開閉部７ａ、他方の腕筒３から胴筒２の他方の脇部位及び腰部位を通って他方の脚筒４に至る第２開閉部７ｂ、及び一方の脚筒４から股部位を通って他方の脚筒４に至る第３開閉部７ｃを有する。【選択図】  図１
0003216634.tif 000002
【実用新案登録請求の範囲】
【請求項１】
着用者の胸，腹及び腰を収容する胴筒と腕を収容する腕筒と脚を収容する脚筒と頭を収容する顔出し窓を有するフードとを一体に形成して服本体とし、この服本体にファスナの開閉により着脱を行う開閉部を設けた防護服において、
前記開閉部は、一方の腕筒から胴筒の一方の脇部位及び腰部位を通って一方の脚筒に至る第１開閉部と、他方の腕筒から胴筒の他方の脇部位及び腰部位を通って他方の脚筒に至る第２開閉部と、一方の脚筒から股部位を通って他方の脚筒に至る第３開閉部とを有することを特徴とする防護服。
【請求項２】
前記開閉部は、前記第１開閉部と第２開閉部と第３開閉部に加え、一方の腕筒から前記フードの一方の側部、頂部、他方の側部を通って他方の腕筒に至る第４開閉部を有する請求項1に記載の防護服。
【請求項３】
前記開閉部は、前記第３開閉部に代えて第４開閉部を設ける請求項１に記載の防護服。
【請求項４】
前記第４開閉部の一端又は両端は、腕筒の先端まで形成されている請求項２又は３に記載の防護服。
【請求項５】
前記第１開閉部と第２開閉部の一端又は両端は、腕筒又は／及び脚筒の先端まで形成されている請求項１〜４のいずれか１項に記載の防護服。
【請求項６】
前記第３開閉部の一端又は両端は、脚筒の先端まで形成されている請求項１〜５のいずれか１項に記載の防護服。
【請求項７】
前記開閉部のファスナは、ダブルスライダを備えている請求項１〜６のいずれか１項に記載の防護服。
【請求項８】
前記フードの顔出し窓の一部には、着用者の装着する防護マスクに仮止めする粘着シートが取り付けられている請求項１〜７のいずれか１項に記載の防護服。
【請求項９】
前記フードの顔出し窓の縁部に、当該顔出し窓の大きさを可変にする伸縮性部材を取り付けた請求項１〜８のいずれか１項に記載の防護服。
【請求項１０】
前記腕筒の手首部位の近傍に透光部を設けて、着用者の手首近傍を外部から視認できるようにした請求項１〜９のいずれか１項に記載の防護服。
【請求項１１】
前記胴筒の胸部の裏面にポケットを設け、当該胸部の前面側から前記ポケットに通じる出入口を形成した請求項１〜１０のいずれか１項に記載の防護服。
【請求項１２】
前記出入口は、スリット状に形成され、前記出入口に被さるフラップを設けた請求項１１に記載の防護服。
【請求項１３】
前記腕筒の先端に、指通し用の指通しリング部を設けた請求項１〜１２のいずれか１項に記載の防護服。
【請求項１４】
少なくとも胴筒におけるファスナの裏面に、補強帯体を取り付けた請求項１〜１３のいずれか１項に記載の防護服。
【請求項１５】
前記防護服は、不透光性材料で形成され、胸部位に窓状透光部を設けた請求項１〜１４のいずれか１項に記載の防護服。
【考案の詳細な説明】
【技術分野】
【０００１】
本考案は、原子力施設内のような放射線管理区域内などで作業する作業員、或は、半導体製造や食品製造などのような塵芥を嫌う作業場での作業員や農薬の散布作業に従事する作業員などが着用するのに好適なつなぎ服状の防護服に関する。
【背景技術】
【０００２】
従来から、例えば原子力施設内や放射線管理区域内などでは、補修、点検、或は清掃のために原子炉の周辺設備に作業者が近づく必要がある場合、作業中に生ずる放射性物質による身体への汚染ないし被ばくを防ぐために、作業者は防護服を着用している。この防護服としては、着用者の胸，腹及び腰を収容する胴筒と脚を収容する脚筒と腕を収容する腕筒と頭を収容する顔出し窓を有するフードとを一体に形成し、ファスナの開閉により着脱を行う開閉部を設けた上下つなぎ服状のものがある（例えば、特許文献１参照。）。
【先行技術文献】
【特許文献】
【０００３】
【特許文献１】特開２００５−５５８１３号公報
【考案の概要】
【考案が解決しようとする課題】
【０００４】
ところで、上記防護服では、ラインファスナによる開閉部が胴筒の腰部位の前面側中央部からフードの顔出し窓まで設けられており、胴筒の腰部位からフードの顔出し窓までを前記ファスナにより開口して着脱を行うようにしている。
しなしながら、前記防護服は、顔に防護マスクを装着した状態でこの防護服を着てから、ガムテープ等の粘着シートで顔出し窓の全周を防護マスクに接着し、顔出し窓から放射性物質が防護服内に侵入するのを防止しているため、ファスナ（開閉部）が顔出し窓に繋がっていると、ファスナ及びその近傍部位への粘着シートの接着が他の部位に比べて接着性が悪くなる。この結果、防護服を着た状態で体を動かすと、特に顔の顎は他の部位に比べて前後や左右に動く範囲が大きく、従って、顎が動くと、接着性が悪い箇所も一緒に動いてその箇所から粘着シートが剥がれ放射性物質の防護服内部への侵入を許してしまうことがある。
【０００５】
そこで、本考案は、顔出し窓から防護服内部への放射性物質等の侵入を抑制できる開閉部を備えた防護服を提供することを課題とする。
【課題を解決するための手段】
【０００６】
前記課題を解決するためになされた本考案防護服の構成は、着用者の胸，腹及び腰を収容する胴筒と腕を収容する腕筒と脚を収容する脚筒と頭を収容する顔出し窓を有するフードとを一体に形成して服本体とし、この服本体にファスナの開閉により着脱を行う開閉部を設けた防護服において、前記開閉部は、一方の腕筒から胴筒の一方の脇部位及び腰部位を通って一方の脚筒に至る第１開閉部、他方の腕筒から胴筒の他方の脇部位及び腰部位を通って他方の脚筒に至る第２開閉部、及び一方の脚筒から股部位を通って他方の脚筒に至る第３開閉部を備えることを特徴とする。
【０００７】
上記のように開閉部が、第１開閉部、第２開閉部及び第３開閉部の３つの開閉部を有することにより、当該開閉部（ファスナ）が顔出し窓に繋がってないので、ガムテープ等の粘着シートで顔出し窓の縁部を防護マスクに接着した際、その粘着シートが顔出し窓の縁部から剥がれ易くなる箇所がない。その結果、顔出し窓から防護服内への放射性物質等の侵入を抑制することができる
【０００８】
本考案防護服においては、開閉部が、さらに一方の腕筒の先端からフードの一方の側部、頂部、他方の側部を通って他方の腕筒の先端に至る第４開閉部を有するものとすることができる。第４開閉部の一端又は両端は、腕筒の先端まで形成されていることが好ましい。前記第１開閉部と第２開閉部の一端又は両端も、腕筒又は／及び脚筒の先端まで形成されていることが好ましい。第３開閉部の一端又は両端も、脚筒の先端まで形成されていることが好ましい。
【０００９】
また、本考案防護服は、開閉部が、一方の腕筒の先端から胴筒の一方の脇部位を通って一方の腰部位に至る第１開閉部と、他方の腕筒の先端から胴筒の他方の脇部位を通って他方の腰部位に至る第２開閉部と、一方の脚筒から股部位を通って他方の脚筒に至る第３開閉部と、一方の腕筒の先端から前記フードの一方の側部、頂部、他方の側部を通って他方の腕筒の先端に至る第４開閉部とで形成されていてもよい。
【００１０】
上記の本考案防護服においては、下記の構成を備えたものとすることが出来る。すなわち、前記第１開閉部〜第４開閉部は、夫々にスライダで開閉するラインファスナ（以下、ファスナという）で形成し、各ファスナはダブルスライダで開閉するようにしたものが好ましい。
また、前記フードの顔出し窓の一部に、着用者の装着する防護マスクに仮止めするための粘着シートを取り付けたものとしてもよい。前記フードの顔出し窓の縁部には、当該顔出し窓の大きさを可変にする伸縮性部材を取り付けることができる。
また、胴筒の胸部の一部を透明なポケット部又は窓状透光部に形成して、ポケットの内部又は胴筒の内部を透視できるようにし、さらに筒腕筒の手首部位の近傍に透光部を設けて、着用者の手首近傍を袖筒の外部から視認できるようにしてもよい。
さらに、胴筒の胸部の裏面に前記ポケットとは別のポケットを設け、当該胸部の前面側から前記別のポケットに通じる出入口を形成することができる。前記出入口はスリット状に形成し、出入口に被さるフラップを設けることができる。
また、腕筒の先端には、指通し用の指通しリング部を設けてもよい。さらに、少なくとも胴筒のファスナの裏面に、補強帯体を取り付けてもよい。
【考案の効果】
【００１１】
本考案防護服では、顔出し窓から防護服内への放射性物質等の侵入を抑制することができる。
【図面の簡単な説明】
【００１２】
【図１】本考案防護服の一例を示した正面図。
【図２】図１の本考案防護服の側面図で、（Ａ）は全ての開閉部を閉じた状態を示す図、（Ｂ）は４つの開閉部をすべて開けて防護服全体を前後で分離した状態を示す図。
【考案を実施するための形態】
【００１３】
以下に本考案防護服の実施形態を添付図面に基づいて説明する。図１及び図２に示すように、本考案に係る防護服１は、例えば、放射線管理区域内などで作業する作業者が着用する上下つなぎ服タイプの作業服であり、着用者の胸、腹及び腰を包む胴筒２と、腕を包む左右の腕筒３（袖３ともいう）と、脚を包む左右の脚筒４と、頭を包むフード５とを一体に形成し、ラインファスナ８（以下、ファスナ８という）の開閉により着脱を行う開閉部７を設けたものである。この防護服１の素材は、通常の布製や不織布製であるが、吸湿性繊維や非吸湿性繊維などの多層構造布や多層構造の不織布、その他の構造の布地などを用いることができる。また防護服１は、服全体は白色など、任意の色を選択した不透光性材料で形成することができる。
【００１４】
胴筒２の前身頃の胸部位の中央には、窓状透光部１１が設けられている。窓状透光部１１は、着用者の胸を外部から視認できるようにするもの、例えば、着用者の胸に入れた警報付ポケット線量計（ＡＰＤ）等を外部から視認できるようにしたものである。窓状透光部１１は、例えば、胸部位に矩形状の開口部を設け、この開口部を透光性を有する透光性素材で塞いで形成したり、透光性シートやフィルムによる透光性素材でポケット状に形成してもよい。透光性素材は、例えば、エチレン・酢酸ビニル共重合樹脂（ＥＶＡ樹脂）やポリエステル樹脂等をシート状に形成したもの等である。透光性シート等の素材は、胴筒２の胸部位に開口形成した開口縁に縫合、接着、溶着等により取り付けられて前記開口部を塞いでいる。
【００１５】
胴筒２の胸部位に形成した窓状透光部１１の左側の裏面には、例えば四角形のポケット素材の上辺を除く３辺が取り付けられてポケット１２が形成されている。前記ポケット１２の上辺は胸部位の裏面に取り付けられておらず、その上辺がポケット１２の胸部位裏面側での出入口となる。胸部位には、裏面側の出入口に対応する箇所又はその近傍にその出入口と平行に延びるスリットが形成されており、このスリットが胸部位の前面側からポケット１２への出し入れを行える胸部位表面側の出入口１３となる。胸部位の表面には、前記出入口１３を覆うフラップ１４が出入口１３のカバーとして取り付けられている。
【００１６】
腕筒３における袖口３２にはリング状にゴム紐などの伸縮性部材を取り付け、この袖口３２を狭窄して伸縮可能に形成している。脚筒４の裾口４２にもリング状にゴム紐などの伸縮性部材（図に表れず）を取り付け、この裾口４２を狭窄して伸縮可能に形成している。
また、左右の腕筒３の一方又は両方の袖口３２には、指通し用の指通しリング部１８を設けてもよい。指通しリング部１８を設けることで、防護服１を重ねる等の重ね着をする際に、下に着ている防護服１の腕筒３のめくれ上がりを防止することが可能となる。
【００１７】
左右の腕筒３の手首部位の近傍である先端上方側には、透光部１５が設けられていることが好ましい。透光部１５は、着用者の前腕の手首近傍を外部から視認できるようにするためのものである。すなわち、着用者の前腕の手首近傍に付けた腕時計等を外部から視認することができる。この透光部１５は、例えば、窓状透光部１１と同様に形成してもよい。すなわち、腕筒３の先端側に開口部を設け、この開口部を透光性素材で塞いで形成してもよい。なお、透光部１５は腕筒３の前腕部位の先端側の周方向の全体に設けてもよい。
【００１８】
フード５の前面側の中央部には、顔出し用に開口した顔出し窓６が設けられている。顔出し窓６は、着用者の防護マスクの目や鼻等の一部をフード５から突出させ得る形状、例えば、下部が直線でそれ以外が曲線の略円形状、略楕円形状等に形成されている。
顔出し窓６の縁部には、ゴム紐などの伸縮性部材６１を取り付けて、この顔出し窓６の大きさを可変に形成することが好ましい。伸縮性部材６１の取付箇所は、顔出し窓６の全周であってもよいが、予め粘着シート１６を取り付ける場合には粘着シート１６の取付箇所を除いた部位であることが好ましい。図の例では伸縮性部材６１は、一例として、顔出し窓６の下部の直線部分を除く曲線部位に取付けられている。
【００１９】
フード５の顔出し窓６には、着用者の防護マスク（図示せず、以下同じ。）に仮止めする粘着シート１６が取り付けられている。粘着シート１６としては、顔出し窓６を防護マスクに仮止めすることができれば特に限定されず、例えば、ガムテープ等でもよい。粘着シート１６は、一部がフード５の顔出し窓６の表面に貼り付けられ、残りが顔出し窓６の中に延出している。この延出部の粘着部には、離型紙が貼られており、離型紙を剥がし延出部を防護マスクに貼り付けることで、顔出し窓６を防護マスクに仮止めすることが可能となる。粘着シート１６の取付箇所は、顔出し窓６の全周であってもよいが、その一部でもよく、また、１箇所でも２箇所以上でもよい。粘着シート１６の取付箇所は、伸縮性部材６１を取り付ける場合には伸縮性部材６１の取付箇所以外の箇所であることが好ましく、例えば、顔出し窓６の下部の直線部である。顔出し窓６を防護マスクに仮止めした後に、ガムテープ等のシート状の粘着部材で顔出し窓６の全周を防護マスクに貼り付けて、防護マスクと顔出し窓６との間を密閉することになる。なお、粘着シート１６は、防護マスクと顔出し窓６との間を密閉する粘着部材の一部として利用してもよい。
【００２０】
開閉部７は、防護服１の着脱に際してファスナ８を開閉することにより、その防護服１の着脱を行うためのものである。開閉部７は、一方の腕筒３から胴筒２の一方の脇部位及び腰部位を通って一方の脚筒４に至る第１開閉部７ａ、他方の腕筒３から胴筒２の他方の脇部位及び腰部位を通って他方の脚筒４に至る第２開閉部７ｂ、一方の脚筒４から股部位を通って他方の脚筒４に至る第３開閉部７ｃ、一方の腕筒３からフード５の一方の側部、頂部、他方の側部を通って他方の腕筒３に至る第４開閉部がある。
以下に説明する本実施形態では、本考案防護服１の開閉部７が、第１開閉部７ａ、第２開閉部７ｂ、第３開閉部７ｃを有する場合について説明するが、本考案防護服は、この開閉部７の構成に限定されるものではない。
【００２１】
第１開閉部７ａは、例えば図1の左側の腕筒３から胴筒２の右側の脇部位及び腰部位を通って左側の脚筒４に至るようにファスナで形成されていれば特に限定されないが、第1開閉部７ａの一端又は両端は、腕筒３又は／及び脚筒４の先端まで形成されていることが好ましい。すなわち、第１開閉部７ａの配置パターンとしては、左側の腕筒３の先端から胴筒２の左側の脇部位及び腰部位を通って左側の脚筒４に至るように形成される、或は、左側の腕筒３から胴筒２の左側の脇部位及び腰部位を通って左側の脚筒４の先端に至るように形成される、若しくは、左側の腕筒３の先端から胴筒２の左側の脇部位及び腰部位を通って左側の脚筒４の先端に至るように形成されるの３パターンがあり得る。しかし第１開閉部７ａは、図１の左側の腕筒３の先端から胴筒２の左側の脇部位及び腰部位を通って左側の脚筒４の先端に至るように形成されていることが、好ましい。
【００２２】
第２開閉部７ｂは、例えば図１の右側の腕筒３から胴筒２の右側の脇部位及び腰部位を通って右側の脚筒４に至るように形成されていれば特に限定されないが、一端又は両端が腕筒３又は／及び脚筒４の先端まで形成されていることが好ましい。すなわち、第２開閉部７ｂは、右側の腕筒３の先端から胴筒２の右側の脇部位及び腰部位を通って右側の脚筒４に至るように形成されていたり、右側の腕筒３から胴筒２の右側の脇部位及び腰部位を通って右側の脚筒４の先端に至るように形成されていたり、右側の腕筒３の先端から胴筒２の右側の脇部位及び腰部位を通って右側の脚筒４の先端に至るように形成されていたりすることが好ましい。第２開閉部７ｂは、図１の右側の腕筒３の先端から胴筒２の右側の脇部位及び腰部位を通って右側の脚筒４の先端に至るように形成されていることが特に好ましい。
【００２３】
第３開閉部７ｃは、一方の脚筒４から股部位を通って他方の脚筒４に至るように形成されていれば特に限定されないが、一端又は両端が脚筒４の先端まで形成されていることが好ましく、特に両端が脚筒４の先端まで形成されていることが好ましい。
上記のように、本考案では第１開閉部〜第３開閉部７ａ、７ｂ、７ｃを防護服１に形成することによって、仮に第１開閉部〜第３開閉部７ａ、７ｂ、７ｃのいずれか一つを単独で開いても開口部が大きいので、防護服１の着脱、特に脱衣を容易且つ迅速に行えることになる。
【００２４】
本考案では、前記開閉部７を、上述した第１開閉部７ａ、第２開閉部７ｂ、第３開閉部７ｃに第４開閉部７ｄを加えた構成、又は前記第３開閉部７ｃに代えて第３開閉部７ｃを設けたを構成にしてもよい。
第４開閉部７ｄは、一方の腕筒３からフード５の一方の側部、頂部、他方の側部を通って他方の腕筒３に至るように形成されていれば特に限定されないが、一端又は両端が腕筒３の先端まで形成されていることが好ましく、特に両端が腕筒３の先端まで形成されて全部開くようになっていることが好ましい。このように、本考案防護服の開閉部７は、第４開閉部７ｄに加え、前記３つの第１開閉部〜第３開閉部７ａ、７ｂ、７ｃ全てを有することにより、４つの第１開閉部〜第４開閉部７ａ、７ｂ、７ｃ、７ｄの全てを開くことによって、防護服１が略前後に２つ割りになるようになっている。
【００２５】
ファスナ８としては、特に限定されず、例えば、プラスチック製などのスライドファスナが用いられる。ファスナ８は、対面した咬合子と咬合子をお互いに咬合分離するスライダー８１を備える。スライダー８１は、１つでもよいが、特に第１開閉部〜第４開閉部７ａ、７ｂ、７ｃ、７ｄの両端が腕筒３や脚筒４先端にまで形成されている場合には、２つであることが好ましい。
すなわち、第１開閉部〜第４開閉部７ａ、７ｂ、７ｃ、７ｄの両端が、図１及び図２に示すように腕筒３や脚筒４の先端まで形成されている場合には、各第１開閉部〜第４開閉部７ａ、７ｂ、７ｃ、７ｄは、夫々に２つのスライダー８１を備えることが好ましい。
なお、腕筒３、胴筒２、フード５のファスナ８の裏面には、比翼のような補強帯体（図示せず）を取り付けるようにしてもよい。補強帯体は、スライダー８１（ファスナ８）の開閉を円滑に行えるようにするものであり、スライダー８１（ファスナ８）の開閉を円滑に行えるならば素材は特に限定されない。前記補強帯体の幅は、特に限定されず、例えば、７ｃｍである。また前記補強帯体の取付箇所は、ファスナ８の裏面であれば特に限定されないが、腕筒３や胴筒２には少なくとも取り付けられていることが好ましく、さらに、フード５にも取り付けるようにしてもよい。
【００２６】
本考案防護服１の着用は、第１開閉部〜第４開閉部７ａ、７ｂ、７ｃ、７ｄのうちの任意の１つ、２つ、３つ又は４つの開閉部７ａ、７ｂ、７ｃ、７ｄの２つのスライダー８１を操作して当該開閉部７ａ、７ｂ、７ｃ、７ｄの両端までスライドさせて開閉部７を開く。この開閉部７の開きにおいては、第１開閉部〜第４開閉部７ａ、７ｂ、７ｃ、７ｄのうちの任意の１つを開くだけでも防護服１に大きな開口が形成される。この開閉部７の開口から体を防護服１の中に入れ、開けた開閉部７ａ、７ｂ、７ｃ、７ｄの２つのスライダー８１を、当該開閉部７ａ、７ｂ、７ｃ、７ｄの両端から引き上げて例えば中央部で互いに接触又は近接させ前記開口を閉じる。このとき、フード５は着用者の頭に被っているが、着用者は、防護服１を着る前に予め防護マスクを装着しているため、フード５を頭に被ってから、着用者は防護マスクの目や鼻等の一部を顔出し窓６から突出させ、防護マスクに対する顔出し窓６の位置を調節し、粘着シート１６で防護マスクに顔出し窓６を仮止めする。仮止め後、ガムテープ等のシート状の粘着部材で顔出し窓６の全周を防護マスクに貼り付けて、防護マスクと顔出し窓６との間を密閉する。これにより、防護服１の着用が完了する。
【００２７】
上記着用において、顔出し窓６の縁部に伸縮性部材６１が取り付けられている場合、顔出し窓６の大きさが可変できるので、防護マスクの大きさや種類等が異なっても防護マスクの位置の調節を容易に確実に行える。また、顔出し窓６に仮止め用の粘着シート１６が取り付けられていることにより、ガムテープ等の粘着部材で顔出し窓６の全周を防護マスクに貼り付ける際に、防護マスクに対する顔出し窓６の位置がずれ難いので、防護マスクと顔出し窓６との間を確実に密閉することができる。これにより、顔出し窓６から放射性物質が防護服１内に侵入するのがより効果的に防止できる。
【００２８】
防護服１を脱ぐには、第１開閉部〜第４開閉部７ａ、７ｂ、７ｃ、７ｄのうちの任意の１つ、２つ、３つ又は４つの開閉部７ａ、７ｂ、７ｃ、７ｄにおける２つのスライダー８１を当該開閉部７ａ、７ｂ、７ｃ、７ｄの両端までスライドさせて開閉部７を開くと仮に１つの開閉部の開きであっても大きく開口を形成できる。これにより、防護服１を容易に脱ぐことができる。このとき、ガムテープ等の粘着部材及び粘着シート１６は、２つのスライダー８１をフード５の頂部からスライドさせる前に防護マスクから剥がしてもよいし、前記粘着部材及び粘着シート１６を防護マスクに貼り付けた状態で防護服１を脱ぎながら防護マスクを顔から取り外しても良い。このように、ファスナ８の２つのスライダー８１が防護服１の両側部に取り付けられているので、一人でスライダー８１をスライドさせることができる。すなわち、一人で防護服１を脱ぐことができる。
【００２９】
本考案防護服１では開口部７の全てのファスナ８が、フード５の顔出し窓６に繋がってないので、ガムテープ等の粘着部材や粘着シート１６で顔出し窓６を防護マスクに密閉する際に、当該粘着部材や粘着シート１６が顔出し窓６から剥がれ易くなる箇所がない。その結果、顔出し窓６から防護服１内への放射性物質等の侵入を効果的に防止することができる。
【００３０】
特に、本考案防護服１では、顔出し窓６から防護服１内への放射性物質等の侵入を防止するため、特に開閉部７が腕筒３の先端の袖口３２からフード５の両側部を通って当該フード５の頂部で繋がるように形成されていることによって、フード５が前後に２つに割れるので、防護服１を脱ぐ際にフード５を頭から簡単且つ確実に脱がせることができ、脱衣の際の防護服１内への放射性物質等の侵入をより一層抑制することができる。
【００３１】
本考案では、腕筒３の手首部位の近傍に透光部１５を設けることにより、腕筒３をめくり上げることなく、時計や着用者の前腕の手首近傍に装着した装置・機器類を視認することができるから、防護服１内への放射性物質等の侵入を防止することができる。
【００３２】
また、胴筒２の胸部位の中央に窓状透光部１１が設けられていることによって、着用者の胸に入れた警報付ポケット線量計（ＡＰＤ）等を外部から視認することができる。さらに、胴筒２の胸部位の裏面にポケット１２を設け、当該胴筒２の胸部の前面側に表面からポケット１２に通じる出入口１３を形成したことで、ポケット１２に入れたスマートフォンなどの通信機等を開閉部７のファスナ８を開けることなく取り出すことが可能となる。その結果、開閉部７を開けて線量計等を取り出す場合に比して放射性物質による身体への汚染を抑えることができる。このとき、胴筒２の胸部の前面側の表面に、出入口１３に被さるフラップ１４を設けることで、放射性物質による身体への汚染を一層抑えることができる。
【００３３】
なお、本実施形態では開閉部７を、例えば着用者の右側の腕筒３の先端から胴筒２の右側の脇部位を通って右側の腰部位に至る第１開閉部７ａと、例えば着用者の左側の腕筒３の先端から胴筒２の左側の脇部位を通って左側の腰部位に至る第２開閉部７ｂと、一方の腕筒３の先端からフード５の一方の側部、頂部、他方の側部を通って他方の腕筒３の先端に至る第４開閉部７ｄとで形成してもよい。また、開閉部７を、胴筒２の例えば着用者の右側の腰部位から右側の脚筒４の先端に至る第１開閉部７ａと、胴筒２の例えば着用者の左側の腰部位から左側の脚筒４の先端に至る第２開閉部７ｂと、一方の脚筒４の先端から股部位を通って他方の脚筒４の先端に至る第３開閉部７ｃとで形成してもよい。
このように防護服１の開閉部７を構成することで、防護服１の略上半分や略下半分を２つ割りにした状態の開口を形成することができ、顔出し窓６から防護服１内への放射性物質等の侵入を抑制することができ、特に開閉部７が腕筒３の先端の袖口３２からフード５の両側部を通って当該フード５の頂部で繋がるように形成されていることで、フード５が前後に２つに割れるので、防護服１を脱ぐ際にフード５を頭から簡単に確実に離脱できるので、防護服内への放射性物質等の侵入をより一層抑制することができ、上記例とほぼ同様の作用効果を得ることができる。
【符号の説明】
【００３４】
１  防護服
２  胴筒
３  腕筒
４  脚筒
５  フード
６  顔出し窓
７  開閉部
７ａ  第１開閉部
７ｂ  第２開閉部
７ｃ  第３開閉部
７ｄ  第４開閉部
８  ファスナ
１１  窓状透光部
１２  ポケット
１３  出入口
１４  フラップ
１５  透光部
１６  粘着シート
１８  リング部
６１  伸縮性部材
【図１】
0003216634.tif 000003
【図２】
0003216634.tif 000004
【手続補正書】
【提出日】平成30年4月4日(2018.4.4)
【手続補正１】
【補正対象書類名】実用新案登録請求の範囲
【補正対象項目名】請求項３
【補正方法】変更
【補正の内容】
【請求項３】
前記開閉部は、前記第３開閉部に代えて一方の腕筒から前記フードの一方の側部、頂部、他方の側部を通って他方の腕筒に至る第４開閉部を有する請求項１に記載の防護服。